Podtech/llm-jp-corpus-v4-ja_patent huggingface dataset:
(57)【要約】      （修正有）【課題】沐浴、介護使用中に身体を擦っても、ずれなく、抜けにくくし、親指と手の平を袋状から出し開放する形状を特徴とするミトン又は手袋を提供する。【解決手段】外側の袋状の形状、又は沐浴、介護使用において人の手を入れ、親指を含まない４指を袋状内部に入れ、親指と手の平を袋状から出し開放する形状を特徴とする。また、袋状の内部に、使用中にずれなく、抜けにくくする為の紐をつけ、親指を含まない４指を通す紐、又は使用後に吊るすことも併用できる紐を特徴とする。生地の素材は、天然素材、和紙、麻、綿、竹、とうもろこし等、または化学繊維で織られ抗菌性を有している。【選択図】図１
0003146289.tif 000002
【実用新案登録請求の範囲】
【請求項１】
外側の袋状の形状、又は沐浴、介護使用において人の手を入れ、親指を含まない４指を袋状内部に入れ、親指と手の平を袋状から出し開放する形状を特徴とするミトン又は手袋。
【請求項２】
請求項１に記載の袋状の内部に、使用中ずれなく、抜けにくくする為の紐をつけ、親指を含まない４指を通す紐、又は使用後に吊るすことも併用できる紐を特徴とするミトン又は手袋。
【請求項３】
前記生地の素材は、天然素材、和紙、麻、綿、竹、とうもろこし等、または化学繊維で織られ、抗菌性を有していることを特徴とする請求項１記載のミトン又は手袋。
【考案の詳細な説明】
【技術分野】
【０００１】
この考案は、沐浴、介護使用において人の手を入れて用いるミトン又は手袋の形状に関する。
【背景技術】
【０００２】
従来のミトン又は手袋などは、図２に示すように、親指が袋状の内部に入り手首から指先まで覆う為、人の手の大きさ、親指の開き加減に対応することが出来ず、体を擦ると使用中に、ミトンの中でミトンと手がずれ不快感があった。
【考案の開示】
【考案が解決しようとする課題】
【０００３】
しかしながら、以上の技術によれば、人によって異なる手の大きさ、赤ちゃんを沐浴する際や物を持つ時には窮屈で、身体を擦ると使用中に、ミトンの中でミトンと手がずれ不快感があった。特に赤ちゃんの沐浴では、石鹸使用の際にすべるにもかかわらず、親指が自由に使えなかった。  そこで、この考案は、沐浴、介護使用中に身体を擦っても、ずれなく、抜けにくくし、親指と手の平を袋状から出し開放する形状を特徴とするミトン又は手袋を提供することを課題とする。
【課題を解決するための手段】
【０００４】
以上の課題を解決するために、第一考案は、外側の袋状の形状、又は沐浴、介護使用において人の手を入れ、親指を含まない４指を袋状内部に入れ、親指と手の平を袋状から出し開放する形状を特徴とするミトン又は手袋。第二考案は、袋状の内部に、使用中にずれなく、抜けにくくする為の紐をつけ、親指を含まない４指を通す紐、又は使用後に吊るすことも併用できる紐を特徴とするミトン又は手袋。第三考案は、生地の素材は、天然素材、和紙、麻、綿、竹、とうもろこし等、または化学繊維で織られ抗菌性を有していることを特徴とする請求項１記載のミトン又は手袋。
【考案の効果】
【０００５】
第一の考案、第二の考案、第三の考案によれば、沐浴、介護使用の際にミトン又は手袋は抜けにくく、親指と手の平が開放されることにより、安全に使用することができる。特に沐浴では、親指と手の平の肌と肌が直接触れることにより、赤ちゃんや介護される人にも安心感が得られます。ミトン又は手袋の生地の素材においては、和紙の抗菌性、優れたあぶら取り効果等の素材特徴の長所を生かすと、石鹸等を使用しないで皮脂のよごれを落とすことが出来るので、地球環境の保護にもなります。
【考案を実施するための最良の形態】
【０００６】
この考案の一実施形態を、図１に示す。袋状の内部に指を通す紐Ａ
【０００７】
「実施形態の効果」
この実施形態によれば、親指と手の平を袋状から出し開放することができ、親指を含まない４指を入れた袋で身体を洗うことができる。又、袋状の内部に指を通す紐Ａにより、ミトンと親指を含まない４指は、ずれなく、抜けにくくなります。したがって手にはめたままで、赤ちゃんや介護される人を抱いたり、洗ったりすることが安易になります。よって、赤ちゃんや介護される人には安心感が得られ、使用する人には、物を持つ時にもすべらず安定感が得られます。
【０００８】
「他の実施形態」
図２の実施形態では、袋状の内部は一体であったが、他の実施形態では、４指を分けるための縫合線が複数入り、ミトン又は手袋の外観を変更したものでもよい。
【図面の簡単な説明】
【０００９】
【図１】この考案の外観図
【図２】従来品の外観図
【符号の説明】
【００１０】
Ａ  袋状内部の親指を含まない４指を通す紐
【図１】
0003146289.tif 000003
【図２】
0003146289.tif 000004
【手続補正書】
【提出日】平成20年7月5日(2008.7.5)
【手続補正１】
【補正対象書類名】明細書
【補正対象項目名】実用新案登録請求の範囲
【補正方法】変更
【補正の内容】
【実用新案登録請求の範囲】
【請求項１】
外側は袋状の形状で、沐浴、介護使用において人の手を入れ、親指を含まない４指を袋状内部に入れ、親指と手の平を袋状から出し開放する形状を特徴とするミトン又は手袋。
【請求項３】
前記生地の素材は、天然素材、和紙、麻、綿、竹、とうもろこし、または化学繊維で織られ、抗菌性を有していることを特徴とする請求項１記載のミトン又は手袋。
【手続補正書】
【提出日】平成20年10月2日(2008.10.2)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
外側は袋状の形状で、沐浴、介護使用において人の手を入れ、親指を含まない４指を袋状内部に入れ、親指と手の平を袋状から出し開放する形状を特徴とするミトン又は手袋。
【請求項２】
請求項１に記載の袋状の内部に、使用中ずれなく、抜けにくくする為の紐をつけ、親指を含まない４指を通す紐、又は使用後に吊るすことも併用できる紐を特徴とするミトン又は手袋。
【請求項３】
前記生地の素材は、天然素材、和紙、麻、綿、竹、とうもろこし、または化学繊維で織られ、抗菌性を有していることを特徴とする請求項１記載のミトン又は手袋。
(57)【要約】      （修正有）【課題】沐浴中に眼部周辺に蒸しタオルのような安全な湿気を導き、温めたり、冷やすことができ、眼部周辺及び眉間に、適度な重さをあたえることができるアイマスクを提供する。【解決手段】沐浴中に湯水に濡らして眼部周辺に覆い被せるだけで、蒸しタオルのような安全な湿気を導き、温めたり、冷やすことができリラックスできる。特に眉間に適度な重さをあたえることができる為、さらにリラックス効果が得られる。アイマスクの素材においては、和紙の天然の抗菌作用等、素材の長所を生かし、何度でも使用することが出来るので、人にも安全で地球環境の保護にもなる。【選択図】図１
0003146290.tif 000002
【実用新案登録請求の範囲】
【請求項１】
外側は長方形の形状、又は沐浴中に使用でき、人の眼部周辺に覆い被せる形状を特徴とするアイマスク。
【請求項２】
請求項１に記載の長方形の形状の中央部分の生地を抓み、縫合されていることを特徴とするアイマスク。
【請求項３】
前記生地の素材は、天然素材、和紙、麻、綿、竹、とうもろこし等、または化学繊維で織られ、抗菌性を有していることを特徴とする請求項１記載のアイマスク。
【考案の詳細な説明】
【技術分野】
【０００１】
この考案は、沐浴使用において人の眼部周辺に覆い被せる形状に関する。
【背景技術】
【０００２】
従来のアイマスクは、図１に示すように、平らな形状で睡眠用又は、温熱効果を導く使用のアイマスクは、浴用での使用には不適切であった。
【考案の開示】
【考案が解決しようとする課題】
【０００３】
しかしながら、以上の技術によれば、生地の素材等浴用での使用には不適切であり、温熱効果のあるものは、使い捨てで環境にも負担をあたえています。そこで、この考案は、沐浴中に眼部周辺に蒸しタオルのような安全な湿気を導き、温めたり、冷やすことができ、眼部周辺及び眉間に、適度な重さをあたえることができる形状を特徴とするアイマスクを提供することを課題とする。
【課題を解決するための手段】
【０００４】
以上の課題を解決するために、第一考案は、外側の長方形の形状、又は沐浴中に使用でき人の眼部周辺に覆い被せる形状を特徴とするアイマスク。第二考案は、長方形の形状の中央部分の生地を抓み、縫合することを特徴とするアイマスク。第三考案は、前記生地の素材は、天然素材、和紙、麻、綿、竹、とうもろこし等、または化学繊維で織られ、抗菌性を有していることを特徴とする請求項１記載のアイマスク。
【考案の効果】
【０００５】
第一の考案、第二の考案、第三の考案によれば、沐浴中に湯水に濡らして眼部周辺に覆い被せるだけで、蒸しタオルのような安全な湿気を導き、温めたり、冷やすことができリラックスできる。特に眉間に適度な重さをあたえることができる為、さらにリラックス効果が得られます。アイマスクの素材においては、和紙の天然の抗菌作用等、素材特徴の長所を生かし、何度でも使用することが出来るので、人にも安全に地球環境の保護にもなります。
【考案を実施するための最良の形態】
【０００６】
この考案の一実施形態を、図２に示す。中央部分の生地を抓み、縫合線Ａ
【０００７】
「実施形態の効果」
この実施形態によれば、沐浴中に湯水に濡らして眼部周辺に覆い被せるだけで、蒸しタオルのような安全な湿気を導き、温めたり、冷やすことができ、リラックスできる。特に中央部分の生地を抓み、縫合線Ａにより眉間に適度な重さをあたえることができる為、さらにリラックス効果が得られます。又縫合線Ａ部分に、アロマシート等を入れると嗅覚からもリラックス効果が得られます。
【０００８】
「他の実施形態」
図２の実施形態では、 外側は長方形の形状とあったが、楕円形等丸みをおびたアイマスクの外観を変更したものでもよい。
【図面の簡単な説明】
【０００９】
【図１】この考案の外観図
【図２】従来品の外観図
【符号の説明】
【００１０】
Ａ  縫合線
Ｂ  側面図１
Ｃ  側面図２
【図１】
0003146290.tif 000003
【図２】
0003146290.tif 000004
【手続補正書】
【提出日】平成20年7月5日(2008.7.5)
【手続補正１】
【補正対象書類名】明細書
【補正対象項目名】実用新案登録請求の範囲
【補正方法】変更
【補正の内容】
【実用新案登録請求の範囲】
【請求項１】
外側は長方形の形状で、沐浴中に使用でき、人の眼部周辺に覆い被せる形状を特徴とするアイマスク。
【請求項３】
前記生地の素材は、天然素材、和紙、麻、綿、竹、とうもろこし、または化学繊維で織られ、抗菌性を有していることを特徴とする請求項１記載のアイマスク。
【手続補正書】
【提出日】平成20年10月2日(2008.10.2)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
外側は長方形の形状で、沐浴中に使用でき、人の眼部周辺に覆い被せる形状を特徴とするアイマスク。
【請求項２】
請求項１に記載の長方形の形状の中央部分の生地を抓み、縫合されていることを特徴とするアイマスク。
【請求項３】
前記生地の素材は、天然素材、和紙、麻、綿、竹、とうもろこし、または化学繊維で織られ、抗菌性を有していることを特徴とする請求項１記載のアイマスク。
(57)【要約】      （修正有）【課題】現状の針時計の装飾技法とは異なる方法で針時計に装飾を施した、創作性に富むデザインを有する針時計を提供する。【解決手段】基板部１０の上にアーティフィシャルフラワー２０が配置され、その上に時針３０及び分針４０が軸芯部材５０により保持されている。軸芯部材５０は、アーティフィシャルフラワー２０、時針３０及び分針４０を基板部１０と一体に保持する役割を果たすとともに、時針３０及び分針４０の回転駆動をさせる役割をも果たしている。アーティフィシャルフラワー２０は基板部１０の上面に接着固定されていてもよい。【選択図】図３
0003146279.tif 000002
【実用新案登録請求の範囲】
【請求項１】
時分針を有する針時計であって、１又は２以上のアーティフィシャルフラワーを文字盤に相当する部分に配置したことを特徴とする装飾針時計。
【請求項２】
時分針と、１のアーティフィシャルフラワーと、時計機能部を有する基板部とからなり、前記時分針、前記アーティフィシャルフラワーの花芯部及び前記基板部を前記時分針の軸部材が貫通してこれらを一体に保持していることを特徴とする装飾針時計。
【考案の詳細な説明】
【技術分野】
【０００１】
本考案は、針時計の文字盤に相当する部分に花などを付着させることにより、美麗な外観を有する装飾針時計に関するものである。
【背景技術】
【０００２】
従来、針時計の装飾方法としては、フレーム、文字盤、時分針などの形状、模様、色彩、透光性、質感などをデザイン化したものが一般的であった。
【考案の開示】
【考案が解決しようとする課題】
【０００３】
上記のように、針時計のデザインにあたっては、フレーム、文字盤、時分針などを時計としての機能を損なわない範囲でのデザイン創作を行わなければならず、製作者が自己の創作性を無制限に表現することができるわけではなかった。
【０００４】
一方で、特に家庭内や店舗・オフィス内に設置される針時計は、周囲のインテリアデザインと調和して室内空間に彩りを与える役割が望まれており、時計としての機能性のみならず、デザインや趣味性なども重視されるのが一般的である。
【０００５】
そこで、本考案はこのような針時計デザインにおける実情に鑑みて、現状の針時計の装飾技法とは全く異なる斬新かつ画期的な方法で針時計に装飾を施すことを提案し、これにより従来実現し得なかった創作性に富むデザインを有する針時計を提供しようとするものである。
【課題を解決するための手段】
【０００６】
上記解決課題に鑑みて鋭意研究の結果、本考案者は、様々な形状及び色彩を有するアーティフィシャルフラワーを針時計の文字盤に相当する部分に用いることにより、自由で幅広い装飾を施すことが可能であることに想到し、本考案をなすに至った。
【０００７】
すなわち、本考案は、時分針を有する針時計であって、１又は２以上のアーティフィシャルフラワーを文字盤に相当する部分に配置したことを特徴とする装飾針時計を提供するものである。
【０００８】
本考案は、また、時分針と、１のアーティフィシャルフラワーと、時計機能部を有する基板部とからなり、前記時分針、前記アーティフィシャルフラワーの花芯部及び前記基板部を前記時分針の軸部材が貫通してこれらを一体に保持していることを特徴とする装飾針時計を提供するものである。
【考案の効果】
【０００９】
以上説明したように、本考案によれば、様々な形状及び色彩を有するアーティフィシャルフラワーを針時計の文字盤部分に配置することにより、自由で幅広い装飾を施した針時計を作製することが可能となる。
このように、現状の針時計とは全く異なる斬新かつ画期的な方法で装飾を施した、創作性に富むデザインを有する針時計が提供されることにより、需要者の幅広い嗜好が満たされることが期待される。
【考案を実施するための最良の形態】
【００１０】
以下に、本考案の装飾針時計の一実施形態について、添付図面を参照しながら説明する。添付図面において同一の符号を付したものは同一の構成部である。
【００１１】
図１は、本考案の一実施形態にかかる装飾針時計の全体構成を概略的に示す図である。
図１に示すように、本実施形態の装飾針時計は、従来文字盤に相当する基板部上に複数のアーティフィシャルフラワーを配置し、その上に時針及び分針を設けた構成となっている。
図示しないが、基板部には時針及び分針を駆動する時計機能部が備えられている。
本考案において、「アーティフィシャルフラワー」とは、装飾ランプの部材として適するように、生花を加工したもの又は生花以外の材料を用いて花を模したものをいう。例えば、シルクフラワー、アートフラワー、フェイクフラワー、ドライフラワーなどがこれに含まれる。
【００１２】
図２は、本考案の他の実施形態にかかる装飾針時計の全体構成を概略的に示す図である。
図２に示すように、本実施形態の装飾針時計は、図１に示す装飾針時計とは異なり、時計機能部を有する基板部上に１つのアーティフィシャルフラワーを配置し、その上に時針及び分針を設けた構成となっている。
【００１３】
図３は、図２に示す装飾針時計の構造の詳細を示す断面図である。
図３に示すように、この装飾針時計は、基板部１０の上にアーティフィシャルフラワー２０が配置され、その上に時針３０及び分針４０が軸芯部材５０により保持されている。
軸芯部材５０は、アーティフィシャルフラワー２０、時針３０及び分針４０を基板部１０と一体に保持する役割を果たすとともに、時針３０及び分針４０の回転駆動をさせる役割をも果たしている。アーティフィシャルフラワー２０は基板部１０の上面に接着固定されていてもよい。
【００１４】
以上、本考案のいくつかの実施形態にかかる装飾針時計について、具体例を図示しながら説明したが、本考案の装飾針時計は、その形状、構造、寸法、装飾等において上記実施形態に限定されるわけではなく、必要に応じて様々な変更を適宜加えることが可能である。
例えば、上記では時針及び分針のみを備えた装飾針時計の例を示したが、さらに秒針を備えていてもよい。また、基板部上のアーティフィシャルフラワーの数、配置、基板部への固着方法などにも制限は無く、当業者がデザインを考慮して適宜設計し得るものである。
【図面の簡単な説明】
【００１５】
【図１】本考案の一実施形態にかかる装飾針時計の全体構成を概略的に示す図である。
【図２】本考案の他の実施形態にかかる装飾針時計の全体構成を概略的に示す図である
【図３】図２に示す装飾針時計の構造を詳細に示す側面図である。
【符号の説明】
【００１６】
１０  基板部
２０  アーティフィシャルフラワー
３０  時針
４０  分針
５０  軸芯部材
【図１】
0003146279.tif 000003
【図２】
0003146279.tif 000004
【図３】
0003146279.tif 000005
(57)【要約】      （修正有）【課題】手拭の両端をバンドで固定することによって、使いやすく作業能率を高め、かつデザイン的にもすぐれた手拭を提供する。【解決手段】手拭１の上辺１１を４等分した３点Ｐ１、Ｐ２、Ｐ３から下辺１２に向かって、平行な３本の折線１６、１７、１８を構成すると共に、手拭１の下部で中央の折線１７より左側にバンド２を固定し、このバンド２を上端と下端２１のみ手拭１表面に固定し、中央部分に空間部２２を構成した。【選択図】図１
0003146758.tif 000002
【実用新案登録請求の範囲】
【請求項１】
略長方形の手拭の表面に、上辺を４等分した３点から長辺に平行な３本の折線を構成すると共に、手拭の下部で中央の折線の近傍に、上端と下端を手拭表面に固定し中央部分に空間部を構成したバンドを装着した手拭。
【考案の詳細な説明】
【技術分野】
【０００１】
本考案は、作業時に首に巻く手拭に関するものであり、特に端部にバンドを装着した手拭に関するものである。
【背景技術】
【０００２】
室内又は屋外での作業中に手を拭いたり汗をぬぐうために手拭やタオル（以下、手拭という）が必要であり、そのため作業者は常に手拭を携帯して作業を行うことが多い。
【０００３】
手拭を携帯する際には作業の邪魔にならないため、あるいはすぐに使用できるために首に掛けることが多い。
この場合、従来では手拭を細長く折畳んで首の後部に掛け、手拭の両端は両方の胸の上に垂らした状態で使用していた。
【考案の開示】
【考案が解決しようとする課題】
【０００４】
前記従来例のように手拭の両端を胸の上に垂らした状態で作業を行うと、前かがみになったときに手拭の端部が前に垂れてきて作業の妨げとなることがあった。
また作業を続けるうちに手拭がずれ落ちることもあった。
さらには手拭の両端が垂れていると外見上好ましくなく、特に若い人々の間ではデザイン上敬遠されがちであった。
【０００５】
本考案は上述の課題を解決するために考案されたものであり、手拭の両端をバンドで固定することによって、使いやすく作業能率を高め、かつデザイン的にもすぐれた手拭を提供することを目的とする。
【課題を解決するための手段】
【０００６】
略長方形の手拭の表面に、上辺を４等分した３点から長辺に平行な３本の折線を構成すると共に、手拭の下部で中央の折線の近傍に、上端と下端を手拭表面に固定し中央部分に空間部を構成したバンドを装着した手拭である。
【考案の効果】
【０００７】
前記本考案によれば、手拭の両端とも固定されるため、首にかけても前に垂れてきて作業の妨げとなることがなく、作業を続けるうちに手拭が首からずれ落ちない。また、バンドを装着することにより、スマートさとファッション性が生じ、かつバンドにより手拭の両端が固定されているため、使用時にデザイン的にも優れたものとなる。
そのため老若男女を問わず使用することができ、各種作業のみならず、スポーツ、お祭りなどの行事や介護の現場での使用が円滑となる。
【考案を実施するための最良の形態】
【０００８】
本考案の最良の実施形態は、長方形の手拭の表面に、手拭の上辺を４等分した３点から下辺に向かって、長辺である右辺又は左辺に平行な３本の折線を構成する。そして、手拭の下部で中央の折線より左辺側の近傍にバンドを固定する。このバンドは、上端と下端に設けた縫付け部によって手拭表面に固定されていて、中央部分は固定されておらず、空間部を構成している。
【０００９】
本考案の一実施例を図面に基づいて説明する。
図１は本考案の手拭の一実施例の展開正面図、図２及び図３は折畳んだ状態の正面図、図４はバンドで止めた状態の正面図及び図５は使用状態を示す説明図である。
【００１０】
図１に示すように、本実施例の手拭１は長方形であり、上辺１１を４等分した点Ｐ１、Ｐ２、Ｐ３から下辺１２に向かって、右辺１３に平行な折線１６、１７、１８を構成する。
そして、手拭１の下部で中央折線１７より図中左側に位置し、下辺１２より１．５〜３ｃｍ程度上方に、中央折線１７と平行にバンド２を固定してある。
なお、本実施例で手拭とは、手拭とタオルを指すものとする。
【００１１】
前記バンド２は、布製織物を素材としていて、長さＬが約１５〜２０ｃｍ、幅Ｗが約１．５〜２ｃｍの長方形であり、上端と下端に設けた縫付け部２１，２１によって手拭１表面に固定されていて、中央部分２２は固定されておらず、空間部２２を構成している。
【００１２】
前記バンド２の大きさは、材質は本実施例に限定されず任意に決定できる。またバンド２の取付位置は、本実施例のように中央折線１７の近傍に限らず、折線１６の近傍でもよい。また中央折線１７に平行なものに限らず、傾斜して取り付けても良い。
【００１３】
このように構成した本実施例の手拭１を使用するには、手拭１を折線１６、１８によって背面側に折り畳み図２の状態とする。その後中央折線１７によって二つ折して図３の状態となる。この手拭１の一端（図３の上端）をバンド２の空間部２２に通して止めた状態が図４である。
【００１４】
この手拭１を首に巻いて使用すると、図５に示すように前記手拭１の一端はバンド２によって他端に固定されているから、手拭１の両端とも前に垂れてきて作業の妨げとなることがなく、作業を続けるうちに手拭１が首からずれ落ちることもない。さらには手拭１の両端が留められているため、デザイン上もすっきりとした印象を与える。
【００１５】
図６及び図７に示すものは、前記実施例の他例である。
この例では、図６に示すように前記手拭１の中央折線１７と平行な折線２７をバンド２の左側に構成する。この折線２７と左辺１４の間を２等分する折線２６と、折線２７と右辺１３の間を２等分する折線２８を、それぞれ折線２７に平行に構成してある。なお、バンド２の位置は、前記実施例と同様である。
【００１６】
前記他例の使用方法は、手拭１を折線２６、２８によって背面側に折り畳み、その後中央折線２７によって二つ折する。この手拭１の一端（図６の上端）をバンド２の空間部２２に通して止めた状態が図７である。
この手拭１によれば、前記第１実施例と同様の構成でありながら、折線を変更することによって、女性洋装用の手拭１として用いることができる。
【図面の簡単な説明】
【００１７】
【図１】本考案の一実施例の展開正面図
【図２】本考案の一実施例の折畳んだ状態の正面図
【図３】本考案の一実施例の折畳んだ状態の正面図
【図４】本考案の一実施例のバンドで止めた状態の正面図
【図５】本考案の一実施例の使用状態を示す説明図
【図６】他例の展開正面図
【図７】他例の使用状態を示す説明図
【符号の説明】
【００１８】
１    手拭
２    バンド
１１  上辺
１２  下辺
１３  右辺
１６  折線
１７  中央折線
１８  折線
【図１】
0003146758.tif 000003
【図２】
0003146758.tif 000004
【図３】
0003146758.tif 000005
【図４】
0003146758.tif 000006
【図５】
0003146758.tif 000007
【図６】
0003146758.tif 000008
【図７】
0003146758.tif 000009
(57)【要約】      （修正有）【課題】使用時に手が滑って紐先が落ちない為の工夫と、窓際等にくくり付けなくても簡単に付け外しが出来る手段の両方を満足させる振り子を提供する。【解決手段】一本の紐２の一端に天然石１が付けられた振り子（ペンデュラム）において、もう一端に取っ手３がつけられている。また、取っ手は通し穴を有している。取っ手部分のリング環は、人差し指と親指に納まる位の大きさが良い。又該リング環の代わりに、クローバー型、ハート型など通し穴が開いているものであれば、形状は限定せず使用できる。【選択図】図１
0003146795.tif 000002
【実用新案登録請求の範囲】
【請求項１】
一本の紐の一端に天然石が付けられている振り子において、もう一端に取っ手が取り付けられていることを特徴とする振り子。
【請求項２】
取っ手には、通し穴を有していることを特徴とする請求項１記載の振り子。
【考案の詳細な説明】
【技術分野】
【０００１】  本考案は、使用時に手が滑って紐先が落ちない為の工夫と、窓際等にくくり付けなくても簡単に付け外しが出来る手段の両方を満足させる振り子に関するものである。
【背景技術】
【０００２】  従来、振り子は、天然石等を紐で吊るして手で持ち、未来を占う道具の一つとして知られており、ペンデュラムの名称としても知られている。【０００３】  一方、振り子を、振り子装置やインテリアとして使用しているものは、振り子の紐先が固定されており、取り外して振り子のみを使用することが困難であった。【０００４】特開平１１−２８１７６３
【考案の開示】
【考案が解決しようとする課題】
【０００５】  また、この振り子であるペンデュラムは、占いとして使用する以外は、振り子の石の部分に太陽の光を受けると、乱反射して粒状の光がシャワーのように広がることから、邪気を払い幸せを運ぶ風水的な効果として室内や車内のインテリアとして窓際等に吊るして使用されることもある。【０００６】  このような場合、占いとしての使用時においては、手が滑って紐先が落ちない為の工夫と、インテリアとしての使用時においては、窓際等にくくり付けなくても簡単に付け外しが出来る手段の両方を満足させるアイデアが望まれるが、そのような工夫が成されないままでいた。【０００７】  本考案は、天然石が付けられている紐の反対側にリング状の取っ手をつけることによって上記問題を解決する。
【課題を解決するための手段】
【０００８】  請求項１に記載の考案は、一本の紐の一端に天然石が付けられた振り子（ペンデュラム）において、もう一端に取っ手がつけられていることを特徴とする。【０００９】  請求項２に記載の考案は、取っ手には、通し穴を有していることを特徴とする。
【考案の効果】
【００１０】  本考案によれば、占いとしての使用時に紐が手から抜け落ちない。【００１１】  次に、インテリアとして吊下げる場合、釘や棒等の出っ張りに簡単に取り付けと取り外しが可能になる。
【考案を実施するための最良の形態】
【００１２】  一本の紐の一端に天然石が付けられた振り子（ペンデュラム）において、もう一端に取っ手がつけられている。【００１３】  また、取っ手には、通し穴を有している。
【実施例】
【００１４】  以下、図面を参照して本考案に係るペンデュラムの一実施例を説明する。
図１は、一本の紐（チェーン）２の一端に天然石１が付けられた振り子（ペンデュラム）において、もう一端には中央に通し穴の開いたリング状の取っ手３が取り付けられている。【００１５】  ここで、紐の種類はチェーンが一般的であるが、天然石の重りに耐えられるものであれば、糸でも良い。【００１６】  また、天然石は、水晶が一般的であり、透明又は半透明のものが望ましいが、その他パワーストーンと呼ばれる天然石であっても構わない。【００１７】  そして、天然石の形状は、図１の様な玉型や円錐型が一般的であり、多面体のカットが施されているものが望ましいが、その他加工し易い形状であれば特に限定しない。【００１８】  次に、取って部分のリング環は、人差し指と親指に納まる位の大きさが良く、望ましくは、外径１０ｍｍ乃至１５ｍｍ、内径は７ｍｍ乃至１２ｍｍの間で調整すればよい。【００１９】  また、図１のようにリング環以外にも、図２乃至図４のようにクローバー型、ハート型、スター型など、通し穴が開いているのもであれば形状は特に限定しない。【００２０】  以上説明したように、好ましい実施例を挙げて本考案を説明したが、本考案はその実施例に限定されるものではなく、本考案の要旨の範囲内で種々に改変できる。
【図面の簡単な説明】
【００２１】
【図１】本考案に係る取っ手付き振り子（ペンデュラム）の図である。
【図２】本考案に係る取っ手のバリエーションの一例を示す図である。
【図３】本考案に係る取っ手のバリエーションの一例を示す図である。
【図４】本考案に係る取っ手のバリエーションの一例を示す図である。
【符号の説明】
【００２２】１  天然石
２  紐（チェーン）
３  取っ手
【図１】
0003146795.tif 000003
【図２】
0003146795.tif 000004
【図３】
0003146795.tif 000005
【図４】
0003146795.tif 000006
(57)【要約】      （修正有）【課題】壁紙貼りの作業を迅速、的確に行うことができる壁紙カット用地ベラを提供する。【解決手段】握持部１とヘラ板３より成る地ベラの先端４を折り曲げ傾斜させ、壁紙の余剰部分の浮きを押圧する押え部５を形成し、その押え部５にカッターナイフの刃先が移動する切断ガイド溝６を先端４の長手方向に沿って形成させて壁紙を正確に切断できるようにした。【選択図】図１
0003146791.tif 000002
【実用新案登録請求の範囲】
【請求項１】
握持部とヘラ板より成る地ベラに於いて、ヘラ板の先端を折曲し傾斜させて押え部とし、その押え部に切断ガイド溝が前記先端の長手方向に沿って形成されていることを特徴とする壁紙カット用地ベラ。
【考案の詳細な説明】
【技術分野】
【０００１】  本考案は、壁紙をカットするときにカッターナイフを案内するための道具で、ヘラ板にカッターナイフが移動する切断ガイド溝を設けた、地ベラに関するものである。
【背景技術】
【０００２】  従来、壁紙カット用の地ベラは、例えば上、下の壁紙の接し合うジョイント部を仕上げるには、隣り合う上、下の壁紙のジョイント部を数センチ重ね合わせた後にヘラ板の先端を押しあて、ヘラ板の先端側縁に沿いカッターナイフの刃先を移動させて、重ね切断し、壁紙の余剰部分を取り除いていた。
【特許文献１】実登献  ３１４１３２２
【考案の開示】
【考案が解決しようとする課題】
【０００３】  しかしながら、従来の技術では、ヘラ板の先端側縁に沿い、カッターナイフの刃先を移動させて、重ね切断時、下の壁紙の切断部分からはみ出した水性糊剤で上に重なった壁紙が水分を吸って柔らかくなり、カッターナイフが横滑りして、壁紙の余剰部分に浮きが生じた状態で切断されてしまうので、切断面がささくれた形状になる問題がある。また、カッターナイフで切断するとき、手もとが狂って、刃先がヘラ板の先端側縁に切込んでヘラ板が部分的に削られ、以降は正確に切断できない問題点がある。【０００４】  本考案は、上記の問題点を解決するために、壁紙貼りの作業を迅速、的確に行うことができる壁紙カット用地ベラを提供することを目的としたものである。
【課題を解決するための手段】
【０００５】  上記目的を達成するために、本考案は握持部とヘラ板より成る地ベラに於いて、ヘラ板の先端を折り曲げ傾斜させ、壁紙を押え込む押え部を形成した。【０００６】  そして、押え部にカッターナイフの刃先が移動する切断ガイド溝がヘラ板の先端の長手方向に沿って形成されている。
【考案の効果】
【０００７】  上述のように、本考案の壁紙カット用地ベラはヘラ板の先端を折り曲げ傾斜させて形成した押え部の底面で壁紙の余剰部分を押圧し、カッターナイフの刃先は、押え部に形成された切断ガイド溝を移動するので、重ね切断時、下の壁紙からはみ出した水性糊剤で上に重なった壁紙が水分を吸って柔らかくなっていても、浮きのある余剰部分の壁紙は押え部の押圧により上下の壁紙は密着された状態で、刃先は切断ガイド溝を移動するので、刃先の横滑りもなく切断されるので、切断面がささくれることもなく正確に切断が行われる。【０００８】  また、カッターナイフの刃先は切断ガイド溝に沿って移動するので、刃先によって切断ガイドの溝が部分的に削られることもない。
【考案を実施するための最良の形態】
【０００９】  巾広状の支持基板の上方の中央より握持部を立上り状に配置させ、薄板状の金属板を切削加工してなるヘラ板を支持基板部の下部でリベットで取り付け固定している。このヘラ板の先端を折り曲げ傾斜させて、壁紙を押圧する押え部を形成し、その押え部にはカッターナイフの刃先が移動する切断ガイド溝がヘラ板の先端の長手方向に沿って形成されている。
【実施例】
【００１０】  １は木製、プラスチック等で形成した握持部で巾広状の支持基板部２の上方の中央より立上がり状に配置されている。３はステンレス等の薄板状の金属板を切削加工等に形成されたヘラ板である。４はヘラ板３の先端である。５はヘラ板３の先端４を折り曲げて、適宜な角度に傾斜させて形成した押え部である。６はカッターナイフの刃先が移動する切断ガイド溝であり、先端４の長手方向に沿って押え部５に形成されている。７は、ヘラ板３と支持基板部２を取り付け固定しているリベットである。【００１１】  本考案は以上のような構成であるから壁紙が水分を含んで軟らかくなっていても、切断付近の余剰部分を押え部の裏面で押圧するので、上下の壁紙が密着して余剰部分の浮きがなくなり、カッターナイフの刃先が切断ガイド溝を移動するので刃先の横滑りもなく正確に切断が行えるものである。
【図面の簡単な説明】
【００１２】
【図１】本考案の壁紙カット用地ベラの正面図である。
【図２】本地ベラの一部切欠拡大断面図である。
【符号の説明】
【００１３】  １  握持部
２  支持基板部
３  ヘラ板
４  先端
５  押え部
６  切断ガイド溝
７  リベット
【図１】
0003146791.tif 000003
【図２】
0003146791.tif 000004
(57)【要約】      （修正有）【課題】胴輪本体に上昇した体温を下げる効果を付加した愛玩犬のハーネス（胴輪）を提供する。【解決手段】ハーネス本体に保冷剤３を入れられるポケットを設け、ファスナー１を開け保冷剤３を挿入し、カバー２でファスナー１の隙間から冷気が逃げるのを防ぎ、凍らせた保冷剤３が愛玩犬の胸部分を冷やすため、暑い日の外出に役立つ。【選択図】図１
0003146798.tif 000002
【実用新案登録請求の範囲】
【請求項１】
犬用被服にポケットを設け、凍らせた保冷剤を入れることによって、上昇した犬の体温を下げる事が出来るハーネス（胴輪）。
【考案の詳細な説明】
【技術分野】
【０００１】本考案は、胴輪本体に上昇した体温を下げる効果を付加した愛玩犬のハーネス（胴輪）である。
【背景技術】
【０００２】夏場は、気温の暑さと太陽熱の地面の反射などにより日中の愛玩犬の散歩が困難である。
【考案の開示】
【考案が解決しようとす課題】
【０００３】愛玩犬の散歩は、運動目的だけでなく、糞尿をさせる目的もある。屋内で糞尿をしない習慣の愛玩犬の場合、夏の暑い日中でも外出しなければならない。
その他にも、やむを得ず外出しなければならない状況も多々ある。
その場合、お腹部分に凍らせた保冷剤を挿入したこのハーネスを使うことによって愛玩犬への負担を和らげる事が出来る。
【課題を解決するための手段】
【０００４】本考案は、ハーネスの胸部分にポケットを設け、その内側には保冷効果のあるアルミシートを貼り、隙間の空いてしまうファスナー部分には冷気が隙間から逃げないためのガードを設ける事により問題点を解決している。
【考案の効果】
【０００５】上述のように、本考案のクールハーネスは胸部分に凍らせた保冷剤を常に当てた状態になるので、暑い中での外出でも愛玩犬への負担が軽減される。
また、散歩時に必ず使うハーネスに体温を下げる効果を合わせているため、他の保冷用品を用意する手間が省ける。
【考案の実施するための最良の形態】
【０００６】胸部分にファスナー付ポケットに凍らせた保冷剤を挿入し、愛玩犬に装着し使用する。
【実施例】
【０００７】以下、添付図面に従って一実施例を説明する。１はファスナー、２はファスナーの隙間から冷気が逃げるのを防ぐナイロン製のカバー、３は凍らせて使う保冷剤、４は愛玩犬に装着する時にプラスティック製の着脱具。
１を開け、凍らせた３を挿入する。挿入した３に２をかぶせるようにし、１を閉じる。４の着脱具を外し、愛玩犬にハーネスを装着し４の着脱具を留める。
【図面の簡単な説明】
【０００８】
【図１】本考案のクールハーネスの背面図である。
【図２】本クールハーネスの右側面図である。
【図３】本クールハーネスの装着図である。
【符号の説明】
【０００９】１  ファスナー
２  ナイロン製カバー
３  保冷剤
４  着脱具
【図１】
0003146798.tif 000003
【図２】
0003146798.tif 000004
【図３】
0003146798.tif 000005
(57)【要約】      （修正有）【課題】風を上向きに噴出して、室内の空気を上下方向に対流させると共に、風呂上り等に股間をも乾燥させることのできる上昇風噴出装置を提供する。【解決手段】床に開口部５を設け、当該開口部５の下方には羽根３を上向きにした扇風機２を配設し、風を上方に向けて噴出すように構成すると共に、開口部５には網等の防護材６を配設してなる上昇風噴出装置１であり、更には、前記扇風機２を着脱自在とし、非装着時には、風を上方に向けて噴出する単体の扇風機２と為し得る上昇風噴出装置である。【選択図】図１
0003146782.tif 000002
【実用新案登録請求の範囲】
【請求項１】
床に開口部を設け、当該開口部の下方には羽根を上向きにした扇風機を配設し、風を上方に向けて噴出すように構成すると共に、開口部には網等の防護材を配設してなる上昇風噴出装置。
【請求項２】
前記扇風機を着脱自在とし、装着しない場合は、風を上方に向けて噴出する単体の扇風機と為し得る請求項１に記載の上昇風噴出装置。
【考案の詳細な説明】
【技術分野】
【０００１】  本考案は、風を上に向けて噴出すべく構成した上昇風噴出装置に関するものである。
【背景技術】
【０００２】  従来の扇風機は横向きで、横に首を振るだけであるから、室内の空気の流れを上下に循環させ風が室内を対流するように構成された扇風機はなく、従って室内の上部に滞留した暖かい空気を対流させることはできなかった。【０００３】  また入浴後にタオルで身体を拭っても、股間というのは拭きにくく、タオルで拭ったくらいではなかなかさっぱりと拭ききれるものではなかった。【０００４】  風呂の脱衣場に取り付けられている扇風機はほとんどが壁掛け型で、斜め上からの風が身体には当たるものの、股間を乾かすことは出来なかったのである。
【考案の開示】
【考案が解決しようとする課題】
【０００５】  解決しようとする問題点は、風を上向きに噴出して、室内の空気を上下方向に対流させると共に、風呂上り等に股間をも乾燥させることのできる扇風機の開発が本考案が解決しようとする課題である。
【課題を解決するための手段】
【０００６】  本考案は、風を上向きに噴出する装置であり、当該装置に配設する扇風機は着脱自在として、非装着時には、風を上向きに噴出する単体の扇風機として使用し得るようにした上昇風噴出装置の開発が課題を解決するための手段である。
【考案の効果】
【０００７】  床に開口部を設け、当該開口部の下方には羽根を上向きにした扇風機を配設し、風を上方に向けて噴出すように構成すると共に、開口部には網等の防護材を配設してなる上昇風噴出装置であり、更には、前記扇風機を着脱自在とし、非装着時には、風を上方に向けて噴出する単体の扇風機と為し得る請求項１に記載の上昇風噴出装置であるから、従来の扇風機は横向きに風を噴出する形態のものがほとんどで、従って部屋の上部に滞留した暖かい空気は排出することができなかったが、本考案では風を上向きに噴出するので、室内の空気を上下方向に循環させるので、室内の空気を対流させることができる。また風呂上りに股間をタオルで拭っても拭いきれなかったのが、当該装置（扇風機）を跨ぐようにすれば、股間もさっぱりと嵌装することが出来る等、極めて顕著な実用的効果を有するものである。
【考案を実施するための最良の形態】
【０００８】  本考案は、床に開口部を設け、当該開口部の下方には羽根を上向きにした扇風機を配設し、風を上方に向けて噴出すように構成すると共に、開口部には網等の防護材を配設してなる上昇風噴出装置であり、更には前記扇風機を着脱自在とし、非装着時には、風を上方に向けて噴出する単体の扇風機と為し得る請求項１に記載の上昇風噴出装置を呈せんとするものである。
【実施例１】
【０００９】  床４に開口部５を設け、当該開口部５の下方には羽根３を上向きにした箱型の扇風機２を取付金具７を介して着脱自在に配設し、風を上方に向けて噴出すように構成すると共に、開口部５には網又は格子等の防護材６を配設している。【００１０】  非装着時の扇風機２は、風を上向きに噴出する単体の扇風機として使用し得るように構成されており、下面の略四角にはゴム又はプラスチックからなる台座８を設けている。【００１１】  上昇風噴出装置として使用する場合のスイッチは隣接する壁等に取り付けてよいが、扇風機２を単体として使用する場合には、当該扇風機２の上面に、フットスイッチ９を取り付けておけば操作が容易である。【００１２】  扇風機の大きさ、形状に限定を受けるものではない。
【産業上の利用可能性】
【００１３】  本考案は、床に開口部５を設け、当該開口部５の下方には羽根３を上向きにした扇風機２を配設し、風を上方に向けて噴出すように構成すると共に、開口部５には網等の防護材６を配設してなる上昇風噴出装置１であり、更には、前記扇風機２を着脱自在とし、非装着時には、風を上方に向けて噴出する単体の扇風機２と為し得る上昇風噴出装置であるから、従来の扇風機は横向きに風を噴出する形態のものがほとんどで、従って部屋の上部に滞留した暖かい空気は排出することができなかったが、本考案では風を上向きに噴出し、室内の空気を上下方向に循環させるので、室内の空気を対流させることができる。また風呂上りに股間をタオルで拭っても拭いきれなかったのが、当該装置（扇風機）を跨ぐようにすれば、股間もさっぱりと乾燥することが出来る等、極めて顕著な実用的効果を有するものである等、産業上での利用可能性は極めて大きいものがある。
【図面の簡単な説明】
【００１４】
【図１】  室内の床に装着した上昇風噴出装置の側面図。
【図２】  扇風機単体の側面図。
【符号の説明】
【００１５】  １  上昇風噴出装置
２  扇風機
３  羽根
４  床
５  開口部
６  防護材
７  取付金具
８  台座
９  フットスイッチ
【図１】
0003146782.tif 000003
【図２】
0003146782.tif 000004
(57)【要約】      （修正有）【課題】高い節水効果と、美しい平行な糸状の水流を両立させる水量調整弁を提供する。【解決手段】外ネジ、あるいは内ネジによって蛇口１に取り付けられる取付け金具２内に３つの構成要素を内臓させる。すなわち、水流の川上順に、昇圧ブロック４、水圧安定空隙５、そして多孔キャップ６である。多孔キャップ６を水流の最終吐出口とする。昇圧ブロック４は、従来の節水コマよりも単純な構造で、厚手のブロックに僅かの数の孔の明いた構造をもつ。水圧安定空隙５はそれ自体に物理的構造は無い空間である。多孔キャップ６は従来の孔明キャップと同様に小さな孔が沢山明いた薄い板状の構造を持つ。【選択図】図１
0003146781.tif 000002
【実用新案登録請求の範囲】
【請求項１】
孔の明いたブロックと、複数の吐出口をもつキャップとの間に一定の空隙をもたせ、それを一体的に内蔵する取付け金具によって構成される水量調整弁
【考案の詳細な説明】
【考案の詳細な説明】
【考案が解決しようとする課題】
【０００１】  従来、節水の目的で水道蛇口の先端に取り付けられる水量調整の仕組みとして２つの方法があった。一つは「節水弁」と称される水流方向に複数の孔が明いた厚手のブロックを取り付ける方法である。もう一つは直径の小さな沢山の孔の明いた薄手の「孔明キャップ」を取り付ける方法である。蛇口からシャワー状に水を吐出させる場合、上記の２つの方法では次の課題があった。「節水弁」においては、そこに明けられている細く長い管によって水流の昇圧効果を高められ安定した節水効果が得られる。しかし厚いブロックに明けられる孔の径、数には限界があ。細い糸状の沢山の水流を多くつくることには「節水弁」は不適である。「孔明キャップ」においては、キャップが薄く沢山の孔を開けられ、シャワー状の水流をつくることが出来る。しかし昇圧のための小さな孔の中の水流方向の距離が短いために、節水効果が弱く、またキャップの孔の前後で生じる乱流の影響で糸状の水流が広がったり交錯して視覚的な不快感を与える。従ってこれまで普及している水量調整弁では、節水効率の高い状況で、視覚的に美しいシャワー上水流をつくることが出来ない。
【課題を解決するための手段】
【０００２】  外ネジ、あるいは内ネジによって蛇口に取り付けられる取付け金具内に３つの構成要素を内臓させる。すなわち、水流の川上順に、「昇圧ブロック」、「水圧安定空隙」、そして「多孔キャップ」である。「多孔キャップ」を水流の最終吐出口とする。「昇圧ブロック」は、従来の節水コマよりも単純な構造で、厚手のブロックに僅かの数の孔の明いた構造をもつ。「水圧安定空隙」はそれ自体に物理的構造は無い空間である。「多孔キャップ」は従来の孔明キャップと同様に小さな孔が沢山明いた薄い板状の構造を持つ。
【考案の効果】
【０００３】  「昇圧ブロック」により、水流の水圧が大きく上がり、節水効果を高められる。「水圧安定空隙」によって「昇圧ブロック」で高められた水圧を安定させ、乱流を防止し、かつ多孔キャップに当たる水圧を安定に均一化する。安定した均一な水圧を「多孔キャップ」で受けて細かな糸状の水流をつくる。この３要素の連携により、節水効果を高め、沢山の細い糸状水流が広がらず交錯せず平行に吐出し、視覚的に美しいシャワー状水流をつくることが出来る。
【図面の簡単な説明】
【図１】円筒形の水道蛇口と、それに取り付けられた本考案の流量調整弁の水流軸に沿って切った断面図を示す。図の下方向が水流の向き（川下）である。この図では、取付け金具に外ネジを切っているが、蛇口に合わせて内ネジの場合もある。またパッキンを描いているが、「昇圧ブロック」をゴムのような弾力性のある素材にしてパッキンを省く場合もある。この図では「昇圧ブロック」の孔は１つであるが、蛇口の口径が大きければ２つ以上になる場合もある。
【符号の説明】
１．蛇口２．取付け金具３．パッキン４．昇圧ブロック５．水圧安定空隙６．多孔キャップ
【図１】
0003146781.tif 000003
(57)【要約】      （修正有）【課題】御供盛籠を解体したとき土産物作成を容易にする御供盛籠載架台を提供する。【解決手段】載架台はダンボール箱を含む各台を積載して構成する構造とし、ダンボール箱台は供物の収容具として使用し、解体後は土産物収納器として使用する。ダンボール箱台２は前面には開口が形成され両側方には側面に近い大きさの窓が形成され、この窓に透明膜たとえばセロファンＳＷが張設されている。ダンボール箱台２はその容積は御供物等が収容できる高さを有し、しかも上面は箱の長さ方向で中央が切断されて両開きできる開閉板Ｐ１，Ｐ２が設けられている。したがって御供物などを開閉板Ｐ１，Ｐ２を開いて内方に収納し、支持板３が敷設される。そしてこの支持板３の上方に御供盛籠支持台４が載架される。そして御供盛籠支持台４の上方に御供盛籠Ｋが載架される。【選択図】図１
0003146763.tif 000002
【実用新案登録請求の範囲】
【請求項１】
御供盛籠を上方に載架するために載架器台であって、支脚を有する最下段の基台と、この基台に載架され内方に御供物を収納できるダンボール製箱台と、このダンボール製箱台上に敷設される支持板と、この支持板上に載架され御供盛籠を支持する御供盛籠支持台からなり、基台とダンボール製箱台と、支持板と御供盛籠支持台が積載されて構成されることを特徴とする御供盛籠用載架器台。
【請求項２】
ダンボール製箱台はその前面が開口され両側方には窓が形成されていることを特徴とする請求項1記載の御供盛籠用載架器台。  
【請求項３】
ダンボール製箱台は御供盛籠が解体されるとき、土産物収納具として使用できることを特徴とする請求項1記載の御供盛籠用載架器台。
【考案の詳細な説明】
【技術分野】
【０００１】
本考案は葬儀あるいは法事等において配設される御供盛籠を載架する御供盛籠用載架器台に関するものである。
【背景技術】
【０００２】
従来におけるこの種の御供盛籠Kは図4にその一例を示すとおり、脚台5に載架陳列している。これは御供盛籠Kを直接床面等に設置すると低い位置への設置になり葬儀、法事等の供養行事が高揚しないこと、足元に設置すると通行の支障になる等の事情によるものである。
【考案の開示】
【考案が解決しようとする課題】
【０００３】
上記従来の御供盛籠用載架器台は簡略であるが通常、葬儀、法事等においてはその行事が終了すると参加された親族らに御供物を土産物として持って帰っていただく風習がある。そのため御供盛籠をその載架器台から外して盛られた御供物を取り外し土産袋や風呂敷にまとめ荷造することになる。
このように土産荷造のために袋や場合によっては箱詰が必要となる。この袋や箱詰を別途準備する必要がある。盛籠が多数個あればそれだけ荷造作業も多くその上御供盛籠用載架器台周囲に点在していると作業に支障を生じることになる。
【課題を解決するための手段】
【０００４】
本考案は上記課題を解決するために、御供盛籠用載架器台を複数個の台を積載する構造とし、その中の1個の台を御供物収容箱で構成したものである。
この個の台は具体的には土産収納箱に好適なダンボール箱を採用したものである。
【考案の効果】
【０００５】
御供盛籠を解体すると同時に土産収納具が準備される。
【考案を実施するための最良の形態】
【０００６】
以下図1から図3に示す実施例にしたがって本考案の構造、形状を説明する。
まず図3には最下段に置かれる基台1の外観が示されているが、図3に示すように基台1の上面の周囲には高さの低い壁1Hが形成されていて、上方に積載される各種の台が外方にズレないようになっている。支脚1Fは四隅に4本植設されている。
この基台1の上方に図2に示すダンボール箱台2が積載される。このダンボール箱台2は図2から明らかなように前面には開口2Pが形成され両側方には側面に近い大きさの窓Wが形成され、この窓Wに透明膜たとえばセロファンSWが張設されている。
ダンボール箱台2は図2に示すようにその容積は御供物等が収容できる高さを有ししかも上面は箱の長さ方向で中央が切断されて両開きできる開閉板P1、P2が設けられている。したがって御供物などを開閉板P1、P2を開いて内方に収納し、図示のとおり支持板3が敷設される。そしてこの支持板3の上方に御供盛籠支持台4が載架される。そして図1に示すように、前記御供盛籠支持台4の上方に御供盛籠Kが載架されるのである。なお図1において御供盛籠Kの中央には発光器Lが御供物に混ざって設置されている。そしてGは籠を示している。
以上詳述したように、このダンボール箱台2の内方には図1に示すとおり御供物Zが収容されている。
したがって葬儀、法事における焼香等において御供物が盛合わされていることを知ることができ主催者の気持ちを確認することができる。
しかも葬儀、法事の終了後、御供盛籠を解体するときダンボール箱台2はその上方に御供物を収容した状態のままで土産物の収納体として扱うことができ、作業を容易にすることができる。
本考案は以上詳述したとおりであるが、上記ならびに図示例に限定されるものではなく、種々の変形例を包含するものである。図示例では各種の台の上面が四角形になっているが、円形または楕円形でもよく図示形状に限定されない。
【図面の簡単な説明】
【０００７】
【図１】本考案による御供盛籠を載架台に載置した状態を示す図である。
【図２】ダンボール箱台の外観を示す図である。
【図３】本考案に係る基台の外観を示す図である。
【図４】従来の例を示す図である。
【符号の説明】
【０００８】
K：    御供盛籠
1：    基台
1F：   支脚
1H：   壁
2：    ダンボール箱台
3：    支持板
4：    御供盛籠支持台
S：    セロファン
P1：   開閉板
P2：   開閉板
Z：    供物
L：    発光器
【図１】
0003146763.tif 000003
【図２】
0003146763.tif 000004
【図３】
0003146763.tif 000005
【図４】
0003146763.tif 000006